(57)【特許請求の範囲】
【請求項１】
肘を保護する肘保護部又は膝を保護する膝保護部と、上膊を保護する上膊保護部又は大腿を保護する大腿保護部と、前記肘保護部と前記上膊保護部とが連結される一対の腕連結部又は前記膝保護部と前記大腿保護部とが連結される一対の足連結部と、前膊固定バンド又は脛固定バンドと、上膊固定バンド又は大腿固定バンドとが備えられたアームガード又はレッグガードにおいて、
前記肘保護部と前記上膊保護部又は前記膝保護部と前記大腿保護部は、硬質合成樹脂により形成されており、
前記一対の腕連結部又は前記一対の足連結部は、一対の肘側連結部と一対の上膊側連結部又は一対の膝側連結部と一対の大腿側連結部とから形成されており、
前記肘保護部又は前記膝保護部の両側部のそれぞれに、前記一対の肘側連結部の各一端又は前記一対の膝側連結部の各一端が固定されており、
前記上膊保護部又は前記大腿保護部の両側部のそれぞれに、前記一対の上膊側連結部の各一端又は前記一対の大腿側連結部の各一端が固定されており、
前記一対の肘側連結部の各他端と前記一対の上膊側連結部の各他端又は前記一対の膝側連結部の各他端と前記一対の大腿側連結部の各他端は、回動可能な軸支構造により連結されていることを特徴とするアームガード又はレッグガード。
【請求項２】
肘を保護する肘保護部と、上膊を保護する上膊保護部と、前記肘保護部と前記上膊保護部とが連結される一対の腕連結部と、前膊固定バンドと、上膊固定バンドとが備えられたアームガードにおいて、
前記肘保護部と前記上膊保護部は、硬質合成樹脂により形成されており、
前記一対の腕連結部は、一対の肘側連結部と一対の上膊側連結部とから形成されるとともに、前記肘保護部の両側部のそれぞれに前記一対の肘側連結部の各一端が固定され、前記上膊保護部の両側部のそれぞれに、前記一対の上膊側連結部の各一端が固定されており、
前記一対の肘側連結部の各他端と前記一対の上膊側連結部の各他端は、回動可能な軸支構造により連結されていることを特徴とするアームガード。
【請求項３】
膝を保護する膝保護部と、大腿を保護する大腿保護部と、前記膝保護部と前記大腿保護部とが連結される一対の足連結部と、脛固定バンドと、大腿固定バンドとが備えられたレッグガードにおいて、
前記膝保護部と前記大腿保護部は、硬質合成樹脂により形成されており、
前記一対の足連結部は、一対の膝側連結部と一対の大腿側連結部とから形成されるとともに、前記膝保護部の両側部のそれぞれに前記一対の膝側連結部の各一端が固定され、前記大腿保護部の両側部のそれぞれに前記一対の大腿側連結部の各一端が固定されており、
前記一対の膝側連結部の各他端と前記一対の大腿側連結部の各他端は、回動可能な軸支構造により軸支されていることを特徴とするレッグガード。
【請求項４】
前記一対の肘側連結部の各他端と前記一対の上膊側連結部の各他端における回動可能な前記軸支構造は、前記肘保護部が前記上膊保護部の肘側部を覆う状態と、覆わない状態とに回動可能であることを特徴とする請求項２に記載のアームガード。
【請求項５】
前記肘保護部の裏面に肘緩衝部材が設けられるとともに、前記肘緩衝部材は、その外周縁が前記肘保護部の外周縁よりも外方に位置するように前記肘保護部よりも大きく形成されており、
前記上膊保護部の裏面に上膊緩衝部材が設けられるとともに、前記上膊緩衝部材は、その外周縁が前記上膊保護部の外周縁よりも外方に位置するように前記上膊保護部よりも大きく形成されており、
前記一対の肘側連結部及び前記一対の上膊側連結部は、帯状の柔軟性合成樹脂により形成されており、
前記一対の肘側連結部の各一端は、前記肘保護部と前記肘緩衝部材との間に挟み込まれて、前記肘保護部と前記肘緩衝部材とともに縫製又はリベットにより固定されおり、
前記一対の上膊側連結部の各一端は、前記上膊保護部と前記上膊緩衝部材との間に挟み込まれて、前記上膊保護部と前記上膊緩衝部材とともに縫製又はリベットにより固定されたことを特徴とする請求項２又は４に記載のアームガード。
【請求項６】
前記一対の肘側連結部の各他端と前記一対の上膊側連結部の各他端とにおける回動可能な前記軸支構造は、前記肘緩衝部材の裏面が前記上膊保護部の肘側部上面に重なり可能に、外周にスペーサが設けられたリベットにより形成されていることを特徴とする請求項５に記載のアームガード。
【請求項７】
前記肘保護部の裏面に設けられた肘緩衝部材に前膊緩衝部材が連結されているとともに、前記前膊緩衝部材に前記前膊固定バンドが設けられており、
前記上膊固定バンドは、前記上膊保護部の両側と前記上膊保護部の裏面に設けられた上膊緩衝部材の両側との間に挟み込まれた一対の留め具の各固定部がそれぞれ縫製又はリベットにより固定されていることを特徴とする請求項２、４、５又は６に記載のアームガード。
【請求項８】
前記一対の膝側連結部の各他端と前記一対の大腿側連結部の各他端とにおける回動可能な前記軸支構造は、前記大腿保護部が前記膝保護部に重なる状態と、重ならない状態とに回動可能であることを特徴とする請求項３に記載のレッグガード。
【請求項９】
前記膝保護部の裏面に膝緩衝部材が設けられるとともに、前記膝緩衝部材は、その外周縁が前記膝保護部の外周縁よりも外方に位置するように前記膝保護部よりも大きく形成されており、
前記大腿保護部の裏面に大腿緩衝部材が設けられるとともに、前記大腿緩衝部材は、その外周縁が前記大腿保護部の外周縁よりも外方に位置するように前記大腿保護部よりも大きく形成されており、
前記一対の膝側連結部及び前記一対の大腿側連結部は、帯状の柔軟性合成樹脂により形成されており、
前記一対の膝側連結部の各一端は、前記膝保護部と前記膝緩衝部材との間に挟み込まれて、前記膝保護部と前記膝緩衝部材とともに縫製又はリベットにより固定されており、
前記一対の大腿側連結部の各一端は、前記大腿保護部と前記大腿緩衝部材との間に挟み込まれて、前記大腿保護部と前記大腿緩衝部材とともに縫製又はリベットにより固定されていることを特徴とする請求項３又は８に記載のレッグガード。
【請求項１０】
前記一対の膝側連結部の各他端と前記一対の大腿側連結部の各他端とにおける回動可能な前記軸支構造は、前記大腿緩衝部材の裏面が前記膝保護部の表面に重なり可能に、外周にスペーサが設けられたリベットにより形成されていることを特徴とする請求項９に記載のレッグガード。
【請求項１１】
前記膝保護部の裏面に設けられた膝緩衝部材の下方を挟んで表面側に脛保護部と裏面側に脛緩衝部材とが設けられ、
前記脛保護部と前記脛緩衝部材とで足甲緩衝材が挟まれて設けられているとともに、足甲緩衝材の表面中央部に足甲保護部が設けられ、
前記脛固定バンドは、前記脛保護部の上部両側と前記脛緩衝部材の上部両側との間に挟み込まれた一対の第一脛留め具の各固定部と、前記脛保護部の下部両側と前記脛緩衝部材の下部両側との間に挟み込まれた一対の第二脛留め具の各固定部とが、それぞれ縫製又はリベットにより固定されており、
前記大腿保護部に第二大腿保護部と第二大腿緩衝部材とが連結され、
前記大腿固定バンドは、前記第二大腿保護部の両側と前記第二大腿緩衝部材の両側との間に挟み込まれた一対の大腿留め具の各固定部がそれぞれ縫製又はリベットにより固定されていることを特徴とする請求項３、８、９又は１０に記載のレッグガード。
【請求項１２】
請求項５又は請求項９に記載の帯状の柔軟性合成樹脂は、熱可塑性ポリウレタンであることを特徴とするアームガード又はレッグガード。
【発明の詳細な説明】
【技術分野】
【０００１】
本発明は、野球などに使用されるアームガード及びレッグガードに係り、特に、一対の肘側連結部の各他端と一対の上膊側連結部の各他端又は一対の膝側連結部の各他端と一対の大腿側連結部の各他端は、回動可能な軸支構造により連結されているアームガード又はレッグガードに関する技術である。
【背景技術】
【０００２】
従来、アームガードにおいては、肘保護部と上膊保護部とが一対の取付用舌片により連結されて、肘部の曲げ伸ばしの邪魔にならないようにしたものが知られている（例えば、特許文献１参照）。
また、従来、アームガードにおいては、肘保護部と上膊保護部とを連結する連結部について、上膊保護部の上膊パッドを延長して肘保護部の第一肘パッドの内側に位置する第二肘パッドに形成し、第二肘パッドの両側縁と第一肘パッドの両側縁とを固定し、第二肘パッドの下端を非固定の自由端として、打者の違和感を減少させるようしたものが知られている（例えば、特許文献２参照）。
【０００３】
従来、レッグガードにおいては、大腿下部―足膝架橋プロテクタと足膝プロテクタとの間、大腿下部プロテクタと足膝プロテクタとの間は、ベルトなどの関節体を介して屈曲自在に連結されたものが知られている（例えば、特許文献３参照）。
また、従来、レッグガードにおいては、膝上保護プレートと主膝保護プレートとを一対の連結バンドで連結したものが知られている（例えば、特許文献４参照）。
【先行技術文献】
【特許文献】
【０００４】
【特許文献１】特許第５７７５９０９号公報（図１、図５参照）
【特許文献２】実用新案登録第３１８７８４９号公報（図３参照）
【特許文献３】特許第４３０９４１６号公報（図１、図３参照）
【特許文献４】実用新案登録第３０９９４２８号公報（図４参照）
【発明の概要】
【発明が解決しようとする課題】
【０００５】
従来、特許文献１及び特許文献２に記載のアームガードは、肘保護部と上膊保護部とを取付用舌片、第一肘パッドにより連結しているが、取付用舌片や第一肘パッドの伸縮性に制約があり、打者が装着してスイングする際に違和感やツッパリ感が生ずるという課題があった。
また、従来、特許文献３及び特許文献４記載のレッグガードは、大腿の保護部と膝の保護部とをベルトやバンドで連結しているが、ベルトやバンドの伸縮性に制約があり、捕手が装着して守備を行う際に違和感やツッパリ感が生ずるという課題があった。
【０００６】
本発明は、従来のアームガード及びレッグガードを装着した際の違和感やツッパリ感を減少させることが可能なアームガード及びレッグガードを提供することを目的としている。
【課題を解決するための手段】
【０００７】
請求項１に係る本発明のアームガード又はレッグガードは、肘を保護する肘保護部又は膝を保護する膝保護部と、上膊を保護する上膊保護部又は大腿を保護する大腿保護部と、前記肘保護部と前記上膊保護部とが連結される一対の腕連結部又は前記膝保護部と前記大腿保護部とが連結される一対の足連結部と、前膊固定バンド又は脛固定バンドと、上膊固定バンド又は大腿固定バンドとが備えられたアームガード又はレッグガードにおいて、
前記肘保護部と前記上膊保護部又は前記膝保護部と前記大腿保護部は、硬質合成樹脂により形成されており、
前記一対の腕連結部又は前記一対の足連結部は、一対の肘側連結部と一対の上膊側連結部又は一対の膝側連結部と一対の大腿側連結部とから形成されており、
前記肘保護部又は前記膝保護部の両側部のそれぞれに、前記一対の肘側連結部の各一端又は前記一対の膝側連結部の各一端が固定されており、
前記上膊保護部又は前記大腿保護部の両側部のそれぞれに、前記一対の上膊側連結部の各一端又は前記一対の大腿側連結部の各一端が固定されており、
前記一対の肘側連結部の各他端と前記一対の上膊側連結部の各他端又は前記一対の膝側連結部の各他端と前記一対の大腿側連結部の各他端は、回動可能な軸支構造により連結されているものである。
【０００８】
請求項２に係る本発明のアームガードは、肘を保護する肘保護部と、上膊を保護する上膊保護部と、前記肘保護部と前記上膊保護部とが連結される一対の腕連結部と、前膊固定バンドと、上膊固定バンドとが備えられたアームガードにおいて、
前記肘保護部と前記上膊保護部は、硬質合成樹脂により形成されており、
前記一対の腕連結部は、一対の肘側連結部と一対の上膊側連結部とから形成されるとともに、前記肘保護部の両側部のそれぞれに前記一対の肘側連結部の各一端が固定され、前記上膊保護部の両側部のそれぞれに、前記一対の上膊側連結部の各一端が固定されており、
前記一対の肘側連結部の各他端と前記一対の上膊側連結部の各他端は、回動可能な軸支構造により連結されているものである。
【０００９】
請求項３に係る本発明のレッグガードは、膝を保護する膝保護部と、大腿を保護する大腿保護部と、前記膝保護部と前記大腿保護部とが連結される一対の足連結部と、脛固定バンドと、大腿固定バンドとが備えられたレッグガードにおいて、
前記膝保護部と前記大腿保護部は、硬質合成樹脂により形成されており、
前記一対の足連結部は、一対の膝側連結部と一対の大腿側連結部とから形成されるとともに、前記膝保護部の両側部のそれぞれに前記一対の膝側連結部の各一端が固定され、前記大腿保護部の両側部のそれぞれに前記一対の大腿側連結部の各一端が固定されており、
前記一対の膝側連結部の各他端と前記一対の大腿側連結部の各他端は、回動可能な軸支構造により軸支されているものである。
【００１０】
請求項４に係る本発明アームガードは、請求項２に係る本発明のアームガードの構成に加え、前記一対の肘側連結部の各他端と前記一対の上膊側連結部の各他端における回動可能な前記軸支構造は、前記肘保護部が前記上膊保護部の肘側部を覆う状態と、覆わない状態とに回動可能とされているものである。
【００１１】
請求項５に係る本発明のアームガードは、請求項２又は４に係る本発明のアームガードの構成に加え、前記肘保護部の裏面に肘緩衝部材が設けられるとともに、前記肘緩衝部材は、その外周縁が前記肘保護部の外周縁よりも外方に位置するように前記肘保護部よりも大きく形成されており、
前記上膊保護部の裏面に上膊緩衝部材が設けられるとともに、前記上膊緩衝部材は、その外周縁が前記上膊保護部よりも外方に位置するように前記上膊保護部よりも大きく形成されており、
前記一対の肘側連結部及び前記一対の上膊側連結部は、帯状の柔軟性合成樹脂により形成されており、
前記一対の肘側連結部の各一端は、前記肘保護部と前記肘緩衝部材との間に挟み込まれて、前記肘保護部と前記肘緩衝部材とともに縫製又はリベットにより固定されおり、
前記一対の上膊側連結部の各一端は、前記上膊保護部と前記上膊緩衝部材との間に挟み込まれて、前記上膊保護部と前記上膊緩衝部材とともに縫製又はリベットにより固定されているものである。
【００１２】
請求項６に係る本発明のアームガードは、請求項５に係る本発明のアームガードの構成に加え、前記一対の肘側連結部の各他端と前記一対の上膊側連結部の各他端とにおける回動可能な前記軸支構造は、前記肘緩衝部材の裏面が前記上膊保護部の肘側部上面に重なり可能に、外周にスペーサが設けられたリベットにより形成されているものである。
【００１３】
請求項７に係る本発明のアームガードは、請求項２，４、５又は６に記載の本発明のアームガードの構成に加え、前記肘保護部の裏面に設けられた肘緩衝部材に前膊緩衝部材が連結されているとともに、前記前膊緩衝部材に前記前膊固定バンドが設けられており、
前記上膊固定バンドは、前記上膊保護部の両側と前記上膊保護部の裏面に設けられた上膊緩衝部材の両側との間に挟み込まれた一対の上膊留め具の各固定部がそれぞれ縫製又はリベットにより固定されているものである。
【００１４】
請求項８に係る本発明のレッグガードは、請求項３に係る本発明のレッグガードの構成に加え、前記一対の膝側連結部の各他端と前記一対の大腿側連結部の各他端とにおける回動可能な前記軸支構造は、前記大腿保護部が前記膝保護部に重なる状態と、重ならない状態とに回動可能とされているものである。
【００１５】
請求項９に係る本発明のレッグガードは、請求項３又は８に係る本発明のレッグガードの構成に加え、前記膝保護部の裏面に膝緩衝部材が設けられるとともに、前記膝緩衝部材は、その外周縁が前記膝保護部の外周縁よりも外方に位置するように前記膝保護部よりも大きく形成されており、
前記大腿保護部の裏面に大腿緩衝部材が設けられるとともに、前記大腿緩衝部材は、その外周縁が前記大腿保護部の外周縁よりも外方に位置するように前記大腿保護部よりも大きく形成されており、
前記一対の膝側連結部及び前記一対の大腿側連結部は、帯状の柔軟性合成樹脂により形成されており、
前記一対の膝側連結部の各一端は、前記膝保護部と前記膝緩衝部材との間に挟み込まれて、前記膝保護部と前記膝緩衝部材とともに縫製又はリベットにより固定されており、
前記一対の大腿側連結部の各一端は、前記大腿保護部と前記大腿緩衝部材との間に挟み込まれて、前記大腿保護部と前記大腿緩衝部材とともに縫製又はリベットにより固定されているものである。
【００１６】
請求項１０に係る本発明のレッグガードは、請求項９に係る本発明のレッグガードの構成に加え、前記一対の膝側連結部の各他端と前記一対の大腿側連結部の各他端とにおける回動可能な前記軸支構造は、前記大腿緩衝部材の裏面が前記膝保護部の表面に重なり可能に、外周にスペーサが設けられたリベットにより形成されているものである。
【００１７】
請求項１１に係る本発明のレッグガードは、請求項３、８、９又は１０に係る本発明のレッグガードの構成に加え、前記膝保護部の裏面に設けられた膝緩衝部材の下方を挟んで表面側に脛保護部と裏面側に脛緩衝部材とが設けられ、
前記脛保護部と前記脛緩衝部材とで足甲緩衝材が挟まれて設けられているとともに、足甲緩衝材の表面中央部に足甲保護部が設けられ、
前記脛固定バンドは、前記脛保護部の上部両側と前記脛緩衝部材の上部両側との間に挟み込まれた一対の第一脛留め具の各固定部と、前記脛保護部の下部両側と前記脛緩衝部材の下部両側との間に挟み込まれた一対の第二脛留め具の各固定部とが、それぞれ縫製又はリベットにより固定されており、
前記大腿保護部に第二大腿保護部と第二大腿緩衝部材とが連結され、
前記大腿固定バンドは、前記第二大腿保護部の両側と前記第二大腿緩衝部材の両側との間に挟み込まれた一対の大腿留め具の各固定部がそれぞれ縫製又はリベットにより固定されているものである。
【００１８】
請求項１２に係る本発明のアームガード又はレッグガードは、請求項５又は請求項９の帯状の柔軟性合成樹脂は、熱可塑性ポリウレタンとされているものである。
【発明の効果】
【００１９】
請求項１に係る本発明のアームガード又はレッグガードは、前記肘保護部と前記上膊保護部又は前記膝保護部と前記大腿保護部は、硬質合成樹脂により形成されており、前記一対の腕連結部又は前記一対の足連結部は、一対の肘側連結部と一対の上膊側連結部又は一対の膝側連結部と一対の大腿側連結部とから形成されており、前記肘保護部又は前記膝保護部の両側部のそれぞれに、前記一対の肘側連結部の各一端又は前記一対の膝側連結部の各一端が固定されており、前記上膊保護部又は前記大腿保護部の両側部のそれぞれに、前記一対の上膊側連結部の各一端又は前記一対の大腿側連結部の各一端が固定されており、  前記一対の肘側連結部の各他端と前記一対の上膊側連結部の各他端又は前記一対の膝側連結部の各他端と前記一対の大腿側連結部の各他端は、回動可能な軸支構造により連結されているから、アームガード又はレッグガードを装着した際の打者又は捕手の違和感やツッパリ感を低減することができるのである。
【００２０】
請求項２に係る本発明のアームガードは、前記肘保護部と前記上膊保護部は、硬質合成樹脂により形成されており、前記一対の腕連結部は、一対の肘側連結部と一対の上膊側連結部とから形成されるとともに、前記肘保護部の両側部のそれぞれに前記一対の肘側連結部の各一端が固定され、前記上膊保護部の両側部のそれぞれに、前記一対の上膊側連結部の各一端が固定されており、前記一対の肘側連結部の各他端と前記一対の上膊側連結部の各他端は、回動可能な軸支構造により連結されているから、アームガードを装着した際の打者の違和感やツッパリ感を低減することができるのである。
【００２１】
請求項３に係る本発明のレッグガードは、前記膝保護部と前記大腿保護部は、硬質合成樹脂により形成されており、前記一対の足連結部は、一対の膝側連結部と一対の大腿側連結部とから形成されるとともに、前記膝保護部の両側部のそれぞれに前記一対の膝側連結部の各一端が固定され、前記大腿保護部の両側部のそれぞれに前記一対の大腿側連結部の各一端が固定されており、前記一対の膝側連結部の各他端と前記一対の大腿側連結部の各他端は、回動可能な軸支構造により軸支されているから、レッグガードを装着した際の捕手の違和感やツッパリ感を低減することができるのである。
【００２２】
請求項４に係る本発明のアームガードは、請求項２に係る本発明のアームガードの効果に加え、前記一対の肘側連結部の各他端と前記一対の上膊側連結部の各他端における回動可能な前記軸支構造は、前記肘保護部が前記上膊保護部の肘側部を覆う状態と、覆わない状態とに回動可能とされているから、打者が肘と上膊とを伸ばした状態で、肘保護部と上膊保護部の肘側とで二重にガードされるとともに、打者が肘と上膊と屈曲した状態でも、肘保護部と上膊保護部との間に隙間ができ難いためにガード範囲を拡張することができるのである。
【００２３】
請求項５に係る本発明のアームガードは、請求項２又は４に係る本発明のアームガードの効果に加え、前記肘保護部の裏面に肘緩衝部材が設けられるとともに、前記肘緩衝部材は、その外周縁が前記肘保護部の外周縁よりも外方に位置するように前記肘保護部よりも大きく形成されており、前記上膊保護部の裏面に上膊緩衝部材が設けられるとともに、前記上膊緩衝部材は、その外周縁が前記上膊保護部の外周縁よりも外方に位置するように前記上膊保護部よりも大きく形成されており、前記一対の肘側連結部及び前記一対の上膊側連結部は、帯状の柔軟性合成樹脂により形成されており、前記一対の肘側連結部の各一端は、前記肘保護部と前記肘緩衝部材との間に挟み込まれて、前記肘保護部と前記肘緩衝部材とともに縫製又はリベットにより固定されおり、前記一対の上膊側連結部の各一端は、前記上膊保護部と前記上膊緩衝部材との間に挟み込まれて、前記上膊保護部と前記上膊緩衝部材とともに縫製又はリベットにより固定されているから、肘側連結部及び上膊側連結部により、肘緩衝部材及び上膊緩衝部材を打者の腕に柔らかくぴったりと装着させることができるのである。
【００２４】
請求項６に係る本発明のアームガードは、請求項５に係る本発明のアームガードの効果に加え、前記一対の肘側連結部の各他端と前記一対の上膊側連結部の各他端とにおける回動可能な前記軸支構造は、前記肘緩衝部材の裏面が前記上膊保護部の肘側部上面に重なり可能に、外周にスペーサが設けられたリベットにより形成されているから、肘側連結部と上膊側連結部との回動を円滑に行うことができるのである。
【００２５】
請求項７に係る本発明のアームガードは、請求項２、４、５又は６に係る本発明のアームガードの効果に加え、前記肘保護部の裏面に設けられた肘緩衝部材に前膊緩衝部材が連結されているとともに、前記前膊緩衝部材に前記前膊固定バンドが設けられており、前記上膊固定バンドは、前記上膊保護部の両側と前記上膊保護部の裏面に設けられた上膊緩衝部材の両側との間に挟み込まれた一対の留め具の各固定部がそれぞれ縫製又はリベットにより固定されているから、前膊のガードもできるとともに、アームガードの腕への装着も確実に行うことができるのである。
【００２６】
請求項８に係る本発明のレッグガードは、請求項３に係る本発明のレッグガードの効果に加え、前記一対の膝側連結部の各他端と前記一対の大腿側連結部の各他端とにおける回動可能な前記軸支構造は、前記大腿保護部が前記膝保護部に重なる状態と、重ならない状態とに回動可能とされているから、捕手が大腿と膝とを伸ばして立ちあがった状態で、大腿保護部と膝保護部とで二重にガードされるとともに、捕手が捕球する姿勢でも、大腿保護部と膝保護部との間に隙間ができ難いためにガード範囲を拡張することができるのである。
【００２７】
請求項９に係る本発明のレッグガードは、請求項３又は８に係る本発明のレッグガードの効果に加え、前記膝保護部の裏面に膝緩衝部材が設けられるとともに、前記膝緩衝部材は、その外周縁が前記膝保護部の外周縁よりも外方に位置するように前記膝保護部よりも大きく形成されており、前記大腿保護部の裏面に大腿緩衝部材が設けられるとともに、前記大腿緩衝部材は、その外周縁が前記大腿保護部の外周縁よりも外方に位置するように前記大腿保護部よりも大きく形成されており、前記一対の膝側連結部及び前記一対の大腿側連結部は、帯状の柔軟性合成樹脂により形成されており、前記一対の膝側連結部の各一端は、前記膝保護部と前記膝緩衝部材との間に挟み込まれて、前記膝保護部と前記膝緩衝部材とともに縫製又はリベットにより固定されており、前記一対の大腿側連結部の各一端は、前記大腿保護部と前記大腿緩衝部材との間に挟み込まれて、前記大腿保護部と前記大腿緩衝部材とともに縫製又はリベットにより固定されているから、膝側連結部及び大腿側連結部により、膝緩衝部材及び大腿緩衝部材を捕手の足に柔らかくぴったりと装着させることができるのである。
【００２８】
請求項１０に係る本発明のレッグガードは、請求項９に係る本発明のレッグガードの効果に加え、前記一対の膝側連結部の各他端と前記一対の大腿側連結部の各他端とにおける回動可能な前記軸支構造は、前記大腿緩衝部材の裏面が前記膝保護部の表面に重なり可能に、外周にスペーサが設けられたリベットにより形成されているから、膝側連結部と大腿側連結部との回動を円滑に行うことができるのである。
【００２９】
請求項１１に係る本発明のレッグガードは、請求項３、８、９又は９に係る本発明のレッグガードの効果に加え、前記膝保護部の裏面に設けられた膝緩衝部材の下方を挟んで表面側に脛保護部と裏面側に脛緩衝部材とが設けられ、前記脛保護部と前記脛緩衝部材とで足甲緩衝材が挟まれて設けられているとともに、足甲緩衝材の表面中央部に足甲保護部が設けられ、前記脛固定バンドは、前記脛保護部の上部両側と前記脛緩衝部材の上部両側との間に挟み込まれた一対の第一脛留め具の各固定部と、前記脛保護部の下部両側と前記脛緩衝部材の下部両側との間に挟み込まれた一対の第二脛留め具の各固定部とが、それぞれ縫製又はリベットにより固定されており、前記大腿保護部に第二大腿保護部と第二大腿緩衝部材とが連結され、前記大腿固定バンドは、前記第二大腿保護部の両側と前記第二大腿緩衝部材の両側との間に挟み込まれた一対の大腿留め具の各固定部がそれぞれ縫製又はリベットにより固定されているから、脛、足甲及び大腿上部のガードもできるとともに、レッグガードの足への装着も確実に行うことができるのである。
【００３０】
請求項１２に係る本発明のアームガード又はレッグガードは、請求項５又は請求項９に係る発明の効果に加え、請求項５又は９に記載の帯状の柔軟性合成樹脂は、熱可塑性ポリウレタンとされているから、柔軟性があり、打者へのアームガードの装着又は捕手へのレッグガードの装着が違和感なくフィット感を高めることができるのである。
【図面の簡単な説明】
【００３１】
【図１】本発明の第一の実施の形態に係るアームガードの伸張状態の側面図である。
【図２】本発明の第一の実施の形態に係るアームガードの屈曲状態の側面図である。
【図３】図１の断面図である。
【図４】図２の断面図である。
【図５】図１の正面図である。
【図６】本発明の第一の実施の形態に係るアームガードにおける回動可能な軸支構造周りを示す部分拡大図で、（ａ）は図１のＡ矢視図及び（ｂ）は図２のＢ矢視図である。
【図７】本発明の第一の実施の形態に係るアームガードにおける腕連結部及び本発明の第二の実施の形態に係るレッグガードにおける足連結部の図面で、（ａ）は斜視図、（ｂ）は平面図、（ｃ）は正面図及び（ｄ）は断面図である。
【図８】本発明の第二の実施の形態に係るレッグガードの伸張状態の側面図である。
【図９】本発明の第二の実施の形態に係るレッグガードの屈曲状態の側面図である。
【図１０】図８の断面図である。
【図１１】図９の断面図である。
【図１２】図８の正面図である。
【図１３】本発明の第二の実施の形態に係るレッグガードにおける回動可能な軸支構造周りを示す部分拡大図で、（ａ）は図８のＣ矢視図及び（ｂ）は図９のＤ矢視図である。
【発明を実施するための形態】
【００３２】
以下、本発明の実施の形態を添付した図面により詳細に説明する。
図１〜図６は本発明の第一の実施の形態に係るアームガードの図面であり、図７は本発明の第一及び第二の実施の形態に係る図面であり、図８〜図１３は本発明の第二の実施の形態に係るレッグガードの図面である。
【００３３】
本発明の第一の実施の形態に係るアームガードを図１〜図７に基づいて説明する。
図１はアームガードの伸張状態の側面図、図２はアームガードの屈曲状態の側面図、図３は図１の断面図、図４は図２の断面図、図５は図１の正面図、図６は回動可能な軸支構造周りを示す部分拡大図及び図７は腕連結部の図面である。
【００３４】
１は、野球やソフトボールなどの球技において、投手からのボールが打者の腕に当たったときに、腕への衝撃を緩和するためのアームガードである。
アームガード１は、肘を保護する肘保護部２と、上膊を保護する上膊保護部３と、肘保護部２と上膊保護部３とが連結される一対の腕連結部４と、前膊固定バンド５と、上膊固定バンド６とが備えられている。
【００３５】
肘保護部２及び上膊保護部３は、ポリエチレン製の硬質合成樹脂でそれぞれ厚みが約３ｍｍに形成されており、肘保護部２の裏面に肘緩衝部材２１が設けられており、上膊保護部３の裏面に上膊緩衝部材３１が設けられている。
肘緩衝部材２１は、その外周縁２１ａが肘保護部２の外周縁２ａよりも外方に位置するように肘保護部２よりも大きく形成されており、上膊緩衝部材３１は、その外周縁３１ａが上膊保護部３の外周縁３ａよりも外方に位置するように上膊保護部３よりも大きく形成されている。
【００３６】
肘緩衝部材２１及び上膊緩衝部材３１は、いずれもポリエチレフォームを芯材としてその表裏に人工皮革が積層された３層で、厚みが約８ｍｍの柔軟性素材で形成されており、腕への投球の衝撃が緩衝されるようにしている。
また、一対の腕連結部４は、図７に示すように、一対の肘側連結部４１と一対の上膊側連結部４２とから形成され、各連結部４１、４２はいずれも帯状の熱可塑性ポリウレタン製の柔軟性合成樹脂により形成されている。
【００３７】
一対の肘側連結部４１の各一端４１ａは、肘保護部２の両側部のそれぞれに肘保護部２と肘緩衝部材２１との間に挟み込まれて、肘保護部２と肘緩衝部材２１とともに縫製により固定されている。
一対の上膊側連結部４２の各一端４２ａは、上膊保護部３の両側部のそれぞれに上膊保護部３と上膊緩衝部材３１との間に挟み込まれて、上膊保護部３と上膊緩衝部材３１とともに縫製により固定されている。
【００３８】
このように構成しているので、柔軟性の肘側連結部４１及び上膊側連結部４２により、肘緩衝部材２１及び上膊緩衝部材３１を打者の腕に柔らかくぴったりと装着させることができるのである。
一対の肘側連結部４１の各他端４１ｂと一対の上膊側連結部４２の各他端４２ｂは、回動可能な軸支構造７により連結されている。
【００３９】
このように、回動可能な軸支構造７とすることで、アームガードを装着した際の打者の違和感やツッパリ感を低減することができるのである。
具体的な軸支構造７は、図１、図３、図６（ａ）に示すように、肘保護部２が上膊保護部３の肘側部を覆う状態と、覆わない状態とに回動可能とされるとともに、肘緩衝部材２１の裏面が上膊保護部３の肘側部上面に重なり可能に、外周に硬質樹脂製のスペーサ７２が設けられたステンレススチール製のリベット７１により形成されている。
【００４０】
このように、打者が肘と上膊とを伸ばした状態で、肘保護部２と上膊保護部３の肘側とで二重にガードされるとともに、打者が肘と上膊と屈曲した状態でも、肘保護部２と上膊保護部３との間に隙間ができ難いためにガード範囲を拡張することができるのである。
また、肘緩衝部材２１に前膊緩衝部材５１が縫製により連結されているとともに、前膊緩衝部材５１の両側に位置する前膊留め具５ａを備えた前膊固定バンド５が縫製により設けられている。
【００４１】
前膊緩衝部材５１は、肘緩衝部材２１と同様にポリエチレフォームを芯材としてその表裏に人工皮革が積層された３層で、厚みが約８ｍｍの柔軟性素材で形成されている。
上膊固定バンド６は、上膊保護部３の両側と上膊緩衝部材３１の両側との間に挟み込まれた一対の上膊留め具６１の各固定部がそれぞれリベット６２により固定されている。
【００４２】
さらに、肘緩衝部材２１の外周縁２１ａ、上膊緩衝部材３１の外周縁３１ａ、前膊緩衝部材５１の外周縁５１ａには、それぞれ帯状の縁取り布部２１ｂ、３１ｂ、５１ｂが縫製により形成されている。
【００４３】
つぎに、本発明の第二の実施の形態に係るレッグガードを図７〜図１３に基づいて説明する。
図７は足連結部の図面、図８はレッグガードの伸張状態の側面図、図９はレッグガードの屈曲状態の側面図、図１０は図１９の断面図、図１１は図９の断面図、図１２は図８の正面図及び図１３は回動可能な軸支構造周りを示す部分拡大図である。
【００４４】
１０１は、野球やソフトボールなどの球技において、投手からのボールが捕手の足に当たったときに、足への衝撃を緩和するためのレッグガードである。
レッグガード１０１は、膝を保護する膝保護部１０２と、大腿を保護する大腿保護部１０３と、膝保護部１０２と大腿保護部１０３とが連結される一対の足連結部１０４と、脛固定バンド１０５と、大腿固定バンド１０６とが備えられている。
【００４５】
膝保護部１０２と大腿保護部１０３は、ポリエチレン製の硬質合成樹脂でそれぞれ厚みが約３ｍｍに形成されており、膝保護部１０２の裏面に膝緩衝部材１２１が設けられており、大腿保護部１０３の裏面に大腿緩衝部材１３１が設けられている。
膝緩衝部材１２１は、その外周縁１２１ａが膝保護部１０２の外周縁１０２ａよりも外方に位置するように膝保護部１０２よりも大きく形成されており、大腿緩衝部材１３１は、その外周縁１３１ａが大腿保護部１０３の外周縁１０３ａよりも外方に位置するように大腿保護部１０３よりも大きく形成されている。
【００４６】
膝緩衝部材１２１及び大腿緩衝部材１３１は、いずれもポリエチレフォームを芯材としてその表裏に人工皮革が積層された３層で、厚みが約８ｍｍの柔軟性素材で形成されており、足への投球などの衝撃が緩衝されるようにしている。
また、一対の足連結部１０４は、図７に示すように第一の実施の形態における腕連結部４と同一形状であり、一対の膝側連結部１４１と一対の大腿側連結部１４２とから形成され、各連結部１４１、１４２はいずれも帯状の熱可塑性ポリウレタン製の柔軟性合成樹脂により形成されている。
【００４７】
一対の膝側連結部１４１の各一端１４１ａは、膝保護部１０２の両側部のそれぞれに膝保護部１０２と膝緩衝部材１２１との間に挟み込まれて、膝保護部１０２と膝緩衝部材１２１とともに縫製により固定されている。
一対の大腿側連結部１４２の各一端１４２ａは、大腿保護部１０３の両側部のそれぞれに大腿保護部１０３と大腿緩衝部材１３１との間に挟み込まれて、大腿保護部１０３と大腿緩衝部材１３１とともに縫製により固定されている。
【００４８】
このように構成しているので、柔軟性の膝側連結部１４１及び大腿側連結部１４２により、膝緩衝部材１２１及び大腿緩衝部材１３１を捕手の足に柔らかくぴったりと装着させることができるのである。
一対の膝側連結部１４１の各他端１４１ｂと一対の大腿側連結部１４２の各他端１４２ｂは、回動可能な軸支構造１０７により連結されている。
【００４９】
このように、回動可能な軸支構造１０７とすることで、レッグガード１０１を装着した際の捕手の違和感やツッパリ感を低減することができるのである。
具体的な軸支構造１０７は、図８、図１０、図１３（ａ）に示すように、大腿保護部１０３が膝保護部１０２に重なる状態と、重ならない状態とに回動可能とされるとともに、大腿緩衝部材１３１の裏面が膝保護部１０２の上面に重なり可能に、外周にスペーサ１７２が設けられたリベット１７１により形成されている。
【００５０】
このように、捕手が膝と大腿とを伸ばした立ちあがった状態で、膝保護部１０２と大腿保護部１０３側とで二重にガードされるとともに、捕手が膝と大腿とを屈曲した捕球状態でも、膝保護部１０２と大腿保護部１０３との間に隙間ができ難いためにガード範囲を拡張することができるのである。
また、膝緩衝部材１２１の下方を挟んで表面側に脛保護部１５１と裏面側に脛緩衝部材１５２とが設けられ、脛保護部１５１と脛緩衝部材１５２とで足甲緩衝部材１０８ａが挟まれて設けられているとともに、足甲緩衝部材１０８ａの表面中央部に足甲保護部１０８が設けられている。
【００５１】
脛保護部１５１及び足甲保護部１０８は、膝保護部１０２と同様にポリエチレン製の硬質合成樹脂で、それぞれ厚みが約３ｍｍに形成されている。
脛緩衝部材１５２及び足甲緩衝部材１０８ａは、膝緩衝部材１２１と同様にポリエチレフォームを芯材としてその表裏に人工皮革が積層された３層で、厚みが約８ｍｍの柔軟性素材で形成されている。
【００５２】
脛固定バンド１０５は、脛保護部１５１の上部両側と脛緩衝部材１５２の上部両側との間に挟み込まれた一対の第一脛留め具１０５ａの各固定部と、脛保護部１５１の下部両側と脛緩衝部材１５２の下部両側との間に挟み込まれた一対の第二脛留め具１０５ｂの各固定部とが、それぞれリベット１５３により固定されている。
大腿保護部１０３及び大腿緩衝部材１３１の上方に、第二大腿保護部１３３と第二大腿緩衝部材１３４とが、一対の接続帯１３２と各リベット１３２ａとにより、設けられている。
【００５３】
第二大腿保護部１３３は、大腿保護部１０３と同様にポリエチレン製の硬質合成樹脂で、厚みが約３ｍｍに形成されている。
第二大腿緩衝部材１３４は、大腿緩衝部材１３１と同様にポリエチレフォームを芯材としてその表裏に人工皮革が積層された３層で、厚みが約８ｍｍの柔軟性素材で形成されている。
【００５４】
大腿固定バンド１０６は、第二大腿保護部１３３の両側と第二大腿緩衝部材１３４の両側との間に挟み込まれた一対の大腿留め具１６１の各固定部がそれぞれリベット１６２により固定されている。
さらに、膝緩衝部材１２１の外周縁１２１ａ、大腿緩衝部材１３１の外周縁１３１ａ、第二大腿緩衝部材１３４の外周縁１３４ａ、脛緩衝部材１５２の外周縁１５２ａ、及び足甲緩衝部材１８１の外周縁１８１ａには、それぞれ帯状の縁取り布部１２１ｂ、１３１ｂ、１３４ｂ、１５２ｂ、１８１ｂが縫製により形成されている。
【００５５】
つぎに、以上の第一の実施の形態、第二の実施の形態について、変形例を説明する。
以上の第一の実施の形態、第二の実施の形態おいて、具体的な材質や数値を挙げた説明については、材質、数値は一例であって、適宜の材質、数値の変更が可能であることはもちろんである。
【００５６】
以上の第一の実施の形態における腕連結部４（肘側連結部４１、上膊側連結部４２）及び以上の第二の実施の形態における足連結部１０４（膝側連結部１４１、大腿側連結部１４２）は、熱可塑性ポリウレタンから形成された帯状の柔軟性合成樹脂としたが、材質、形状を適宜変更することができ、要は回動可能な軸支構造とすればよいのである。
以上の第一の実施の形態における回動可能な軸支構造７は、肘保護部２が上膊保護部３の肘側部を覆う状態と、覆わない状態とに回動可能としたが、肘保護部２と上膊保護部３との間に隙間ができないように回動可能とすれば、覆う状態をどの程度とするかは適宜変更することができるのである。
【００５７】
また、以上の第一の実施の形態における軸支構造７は、外周に硬質樹脂製のスペーサ７２が設けられたステンレススチール製のリベット７１により形成されるようにしたが、スペーサを省略してもよく、材質も適宜のものでよいのである。
以上の第一の実施の形態では、肘緩衝部材２１は、その外周縁２１ａが肘保護部２の外周縁２ａよりも外方に位置するように肘保護部２よりも大きく形成され、上膊緩衝部材３１は、その外周縁３１ａが上膊保護部３の外周縁３ａよりも外方に位置するように上膊保護部３よりも大きく形成されるようにしたが、肘緩衝部材２１と上膊緩衝部材３１とは、肘保護部２と上膊保護部３との大きさにかかわらず、それぞれ肘と上膊とを投球から緩衝できればよいのである。
【００５８】
以上の第一の実施の形態では、肘側連結部４１の一端４１ａと上膊側連結部４２の一端４２ａを縫製により固定したが、縫製に替えてリベットにより固定するようにしてもよいのである。
以上の第一の実施の形態における上膊固定バンド６をリベット６２に替えて縫製により固定するようにしてもよいのである。
【００５９】
以上の第二の実施の形態における回動可能な軸支構造１０７は、大腿保護部１０３が膝保護部１０２に重なる状態と、重ならない状態とに回動可能としたが、大腿保護部１０３と膝保護部１０２との間に隙間ができないように回動可能とすれば、重なり状態をどの程度とするかは適宜変更することができるのである。
また、以上の第二の実施の形態における軸支構造１０７は、外周に硬質樹脂製のスペーサ１７２が設けられたステンレススチール製のリベット１７１により形成されるようにしたが、スペーサを省略してもよく、材質も適宜のものでよいのである。
【００６０】
以上の第二の実施の形態では、膝緩衝部材１２１は、その外周縁１２１ａが膝保護部１０２の外周縁１０２ａよりも外方に位置するように肘保護部１０２よりも大きく形成され、大腿緩衝部材１３１は、その外周縁１３１ａが大腿保護部１０３の外周縁１０３ａよりも外方に位置するように大腿保護部１０３よりも大きく形成されるようにしたが、膝緩衝部材１２１と大腿緩衝部材１３１とは、膝保護部１０２と大腿保護部１０３との大きさにかかわらず、それぞれ膝と大腿とを投球から緩衝できればよいのである。
以上の第二の実施の形態では、膝側連結部１４１の一端１４１ａと大腿側連結部１４２の一端１４２ａを縫製により固定したが、縫製に替えてリベットにより固定するようにしてもよいのである。
【００６１】
以上の第二の実施の形態では、脛固定バンド０５における第一脛留め具１０５ａ及び第二脛留め具１０５ｂ並びに大腿固定バンド１０６の大腿留め具１６１がリベット６２により固定されているが、縫製により固定するようにしてもよいのである。
【符号の説明】
【００６２】
１    アームガード
２    肘保護部
２ａ  肘保護部の外周縁
２１  肘緩衝部材
２１ａ  肘緩衝部材の外周縁
３    上膊保護部
３ａ  上膊保護部の外周縁
３１  上膊緩衝部材
３１ａ  上膊緩衝部材の外周縁
４    腕連結部
４１  肘側連結部
４１ａ  肘側連結部の一端
４１ｂ  肘側連結部の他端
４２  上膊側連結部
４２ａ  上膊側連結部の一端
４２ｂ  上膊側連結部の他端
５    前膊固定バンド
５１  前膊緩衝部材
６    上膊固定バンド
６１  上膊留め具
６２  リベット
７    軸支構造
７１  リベット
７２  スペーサ
Ａ    矢視
Ｂ    矢視
１０１  レッグガード
１０２  膝保護部
１０２ａ  膝保護部の外周縁
１２１  膝緩衝部材
１２１ａ  膝緩衝部材の外周縁
１０３  大腿保護部
１０３ａ  大腿保護部の外周縁
１３１  大腿緩衝部材
１３１ａ  大腿緩衝部材の外周縁
１３３  第二大腿保護部
１３４  第二大腿緩衝部材
１０４  足連結部
１４１  膝側連結部
１４１ａ  膝側連結部の一端
１４１ｂ  膝側連結部の他端
１４１ｃ  膝側連結部のリベット用穴
１４２  大腿側連結部
１４２ａ  大腿側連結部の一端
１４２ｂ  大腿側連結部の他端
１０５  脛固定バンド
１０５ａ  第一脛留め具
１０５ｂ  第二脛留め具
１５１  脛保護部
１５２  脛緩衝部材
１５２ａ  脛緩衝部材の外周縁
１５３  リベット
１０６  大腿固定バンド
１６１  大腿留め具
１６２  リベット
１０７  軸支構造
１７１  リベット
１７２  スペーサ
１０８  足甲保護部
１８１  足甲緩衝部材
【要約】
【課題】野球などに使用されるアームガード１（及びレッグガード）に係り、一対の肘側連結部４１の各他端４１ｂと一対の上膊側連結部４２の各他端４２ｂは、回動可能な軸支構造７により連結されているアームガード１（又はレッグガード）に係る技術である。
【解決手段】アームガード１においては、肘保護部２と上膊保護部３とが連結される一対の腕連結部４は、前記一対の肘側連結部４１と前記一対の上膊側連結部４２とから形成されており、前記肘保護部２の両側部のそれぞれに、前記一対の肘側連結部４１の各一端４１ａが固定されており、前記上膊保護部３の両側部のそれぞれに、前記一対の上膊側連結部４２の各一端４２ａが固定されており、前記一対の肘側連結部４１の各他端４１ａと前記一対の上膊側連結部４２の各他端４２ｂは、回動可能な前記軸支構造７により連結されているものである。
【選択図】図１【図１】
0006681634.tif 000002
【図２】
0006681634.tif 000003
【図３】
0006681634.tif 000004
【図４】
0006681634.tif 000005
【図５】
0006681634.tif 000006
【図６】
0006681634.tif 000007
【図７】
0006681634.tif 000008
【図８】
0006681634.tif 000009
【図９】
0006681634.tif 000010
【図１０】
0006681634.tif 000011
【図１１】
0006681634.tif 000012
【図１２】
0006681634.tif 000013
【図１３】
0006681634.tif 000014